(57)【要約】【課題】  効率的に医用診断装置への検査データの読み込みを行うことを可能とする。【解決手段】  検査データマネージャ１は、過去の検査により取得された検査データのうちの将来の検査で使用予定であるものを、複数の超音波診断装置2-1〜2-4のうちの少なくとも２つへ配信する。超音波診断装置2-1〜2-4は、検査データマネージャ１から配信された検査データを記憶しておく。超音波診断装置2-1〜2-4は、この記憶している検査データを用いた検査が他の超音波診断装置2-1〜2-4を使用して行われたことに応じてこの記憶している検査データを削除する。【選択図】図１
2006280446.tif 000002
【特許請求の範囲】
【請求項１】
過去の検査により取得された検査データを記憶する記憶装置にアクセス可能な管理装置と、前記検査データを用いた検査に使用される複数の医用診断装置とを含む検査システムであって、
前記管理装置は、将来の検査で使用予定である前記検査データを複数の前記医用診断装置のうちの少なくとも２つへ配信する手段を備え、
前記医用診断装置は、
配信された前記検査データを記憶する記憶手段と、
前記記憶手段に記憶された前記検査データを用いた前記検査が他の医用診断装置を使用して行われたことに応じて前記記憶手段に記憶された前記検査データを削除する削除手段とを具備したことを特徴とする検査システム。
【請求項２】
前記医用診断装置は、前記記憶手段に記憶された前記検査データを用いた前記検査を開始または終了したことを前記管理装置に通知する手段をさらに備え、
前記管理装置は、前記通知に応じて、この通知を行ったのとは別の前記医用診断装置に対して削除を指示する手段をさらに備え、
かつ前記削除手段は、前記指示に応じて前記検査データを削除することを特徴とする請求項１に記載の検査システム。
【請求項３】
過去の検査により取得された検査データを記憶する記憶装置にアクセス可能な管理装置において、
前記検査データを用いた検査に使用される複数の医用診断装置へ、将来の検査で使用予定である前記検査データを配信する手段を備えたことを特徴とする管理装置。
【請求項４】
過去の検査により取得された検査データを用いた検査に使用される医用診断装置であって、
前記管理装置から配信される、将来の検査で使用予定である前記検査データを記憶する記憶手段と、
前記記憶手段に記憶された前記検査データを用いた前記検査が他の医用診断装置を使用して行われたことに応じて前記記憶手段に記憶された前記検査データを削除する削除手段とを具備したことを特徴とする医用診断装置。
【発明の詳細な説明】
【技術分野】
【０００１】
本発明は、医用診断装置を用いて過去の検査により取得された検査データを新たな検査で使用する検査システムと、この検査システムで利用可能な管理装置および医用診断装置に関する。
【背景技術】
【０００２】
医療機関での超音波診断装置を用いた検査においては、検査中に装置で取得した検査データを、専用のサーバに保存している。
【０００３】
そして超音波診断装置を用いた検査では、過去に取得された検査データを利用して新たな検査が行われることがある。この場合には、上記のサーバから超音波診断装置へと必要な検査データを読み込む。
【特許文献１】特開平１０−２３４７３０号公報
【発明の開示】
【発明が解決しようとする課題】
【０００４】
検査データの読み込みには時間がかかるので、検査開始前に超音波診断装置に必要な検査データを読み込んでおくことが望ましい。しかし、複数ある超音波診断装置のいずれを用いて検査が実施されるかは、実際の検査を行うときにならないとわからないため、その時よりも前に検査データを超音波診断装置に読み込んでおくことができない。
【０００５】
このため、超音波診断装置を用いた検査を実際に行う時点になってから、例えば患者ＩＤなどをトリガとして当該超音波診断装置に必要な検査データを読み込むことが行われている（特許文献１を参照）。しかし、検査データを読み込み終えるまでの時間は超音波診断装置を用いた所望の診断を行うことができず、検査効率が低下するという不具合があった。
【０００６】
なお、このような不具合は、超音波診断装置以外の様々な医用診断装置を備える検査システムにおいても起こり得る。
【０００７】
本発明はこのような事情を考慮してなされたものであり、その目的とするところは、効率的に医用診断装置への検査データの読み込みを行うことを可能とすることにある。
【課題を解決するための手段】
【０００８】
以上の目的を達成するために本発明は、過去の検査により取得された検査データを記憶する記憶装置にアクセス可能な管理装置と、前記検査データを用いた検査に使用される複数の医用診断装置とを含んで検査システムを構成する。
【０００９】
そして前記管理装置には、将来の検査で使用予定である前記検査データを複数の前記医用診断装置のうちの少なくとも２つへ配信する手段を備える。
【００１０】
また前記医用診断装置には、前記管理装置から配信された前記検査データを記憶する記憶手段と、前記記憶手段に記憶された前記検査データを用いた前記検査が他の医用診断装置を使用して行われたことに応じて前記記憶手段に記憶された前記検査データを削除する削除手段とを備える。
【発明の効果】
【００１１】
本発明によれば、効率的に医用診断装置への検査データの読み込みを行うことを可能とすることができる。
【発明を実施するための最良の形態】
【００１２】
以下、図面を参照して本発明の一実施形態について説明する。  
図１は本実施形態に係る検査システムの概略構成を示すブロック図である。  
図１に示すように本実施形態の検査システムは、検査データマネージャ１と複数の超音波診断装置２を、ネットワーク３を介して接続して構成される。なお図１においては、４つの超音波診断装置2-1，2-2，2-3，2-4を含む検査システムを図示している。以下においては、超音波診断装置の個々を区別する必要がある場合には符号「2-1」「2-2」「2-3」または「2-4」を付して記し、区別する必要がない場合には符号「２」を付して記す。
【００１３】
検査データマネージャ１は、当該検査システム内で検査データを管理する機能を持つ。超音波診断装置２は、医療機関内にて患者の診断を行うために使用される装置である。超音波診断装置２は、超音波を利用した周知の手法により医学的な検査データを取得する。また超音波診断装置２は、検査データマネージャ１と連携して動作する機能を有する。
【００１４】
ネットワーク３は、例えば病院内ＬＡＮであって、ＨＩＳ／ＲＩＳサーバ４が接続されている。ＨＩＳ／ＲＩＳサーバ４は、ＨＩＳ（hospital information system）およびＲＩＳ（radiology information system）に属するサーバであり、病院内における各種の情報（例えば予約情報）を記憶している。ＨＩＳ／ＲＩＳサーバ４が記憶する情報には、超音波診断装置２を利用する検査の予約検査情報を含む。
【００１５】
図２は検査データマネージャ１および超音波診断装置２の構成を示すブロック図である。  
検査データマネージャ１は、予約検査情報取得部１１、ユーザ情報取得部１２、システム状態監視部１３、スケジュール作成部１４、ユーザ情報データベース１８ｄ、データ配信部１５、データ削除要求部１６、データ受信部１７、予約検査情報データベース１８ａ、装置情報データベース１８ｂ、ユーザ情報データベース１８ｃ、配信スケジュールデータベース１８ｄ、検査データデータベース１８ｅおよび検査履歴データベース１８ｆを含む。
【００１６】
予約検査情報取得部１１は、能動的もしくは受動的に、ＨＩＳ／ＲＩＳサーバ４から予約検査情報を取得し、予約検査情報データベース１８ａに保存する。
【００１７】
図３は予約検査情報の一例を示す図である。予約検査情報には、予約された検査毎に、患者名および患者ＩＤ等の患者に関する情報と、検査種別等の検査に関する情報とが表されたレコードが記述される。
【００１８】
ユーザ情報取得部１２は、ユーザ情報を取得し、ユーザ情報データベース１８ｃに保存する。ユーザ情報は、例えば図示しない端末にてユーザによって入力される。ユーザ情報は、超音波診断装置２を使用するユーザに関する情報である。ユーザ情報は例えば、医師の名前と専門分野、医師が特定の超音波診断装置２を使う場合はその装置ＩＤ等が含まれる。
【００１９】
システム状態監視部１３は、能動的もしくは受動的に、ネットワーク３を介して超音波診断装置２から装置状態情報を取得し、装置情報データベース１８ｂに保存する。装置状態情報は、超音波診断装置２が稼動しているか否か(故障の有無を含む)を示す情報、超音波診断装置２が検査中か否かを示す情報、超音波診断装置２に接続されているプローブの種類を表す情報、超音波診断装置２に装備されているデバイスの種類を表す情報、インストールされているアプリケーションの種類およびバージョンを表す情報などを含む。なお装置情報データベース１８ｂは、システム内の全超音波診断装置２に関する装置情報も保持する。装置情報は、超音波診断装置２の機種名、装置ＩＤ、シリアルＮｏ、適応検査種類等の超音波診断装置２固有で変更されない情報である。またシステム状態監視部１３は、超音波診断装置２から検査開始通知を受信したことに応じて、次の３つの処理を行う。１つは、データ削除要求部１６に対してデータ削除要求の送信を指示する。１つは、スケジュール作成部１４に対して配信スケジュールの更新を指示する。もう１つは、データ配信部１５に新たな配信を指示する。
【００２０】
スケジュール作成部１４は、予約検査情報データベース１８ａ、装置情報データベース１８ｂおよびユーザ情報データベース１８ｄに記憶された予約検査情報、装置情報およびユーザ情報をもとに、配信スケジュールを作成する。スケジュール作成部１４は、作成したスケジュール情報を配信スケジュールデータベース１８ｄに保存する。これにより、データ配信部１５が配信するデータに関する配信検査と配信装置とが決定される。スケジュール作成部１４は、システム状態監視部１３からの指示に応じて配信スケジュールを更新する。配信スケジュールは、配信装置、配信検査および配信順序等の要素からなる。配信装置は、検査種別等の検査情報と、超音波診断装置２の状態や超音波診断装置２の条件等の装置情報をもとに、どの超音波診断装置２でどの検査が開始可能かを考慮し決定する。配信検査は、配信装置を決定した後、同時に開始可能な検査数をもとに決定する。配信順序は例えば図４に示すように、超音波診断装置２のそれぞれについて、その装置への検査情報の配信順序を検査名の配列として記述している。
【００２１】
データ配信部１５は、システム状態監視部１３からの指示に応じて、数人の患者の過去検査データおよび過去履歴データ(検査データデータベース１８ｅおよび検査履歴データベース１８ｆに保存されている検査データおよび履歴データ)を超音波診断装置２に対して送信する。データ配信部１５は、上記数人の患者を、検査を予約していてその検査がまだ行われていない患者のうちから予約の早い順に選定する。データ配信部１５は、各患者に対して行う検査に利用され得る超音波診断装置２を検査データの送信先とする。データ配信部１５は、必要に応じて検査データを暗号化して送信する。
【００２２】
データ削除要求部１６は、システム状態監視部１３からの指示に応じて、データ削除要求を超音波診断装置２に対して送信する。データ削除要求部１６は、検査が開始された超音波診断装置２以外の超音波診断装置２を、データ削除要求の送信先とする。
【００２３】
データ受信部１７は、超音波診断装置２から送られてきた検査データを受信し、検査データデータベース１８ｅに保存する。検査データは、画像(静止画、動画等)データ、３Ｄボリュームデータ、レポートデータ、計測データ等である。
【００２４】
一方、超音波診断装置２は、周知の超音波診断装置が一般的に備える要素に加えて、装置状態通知部２１、データ受信部２２、検査開始通知部２３、データ送信部２４、データ削除部２５、検査データデータベース２６ａおよび検査履歴データベース２６ｂを含む。
【００２５】
装置状態通知部２１は、検査データマネージャ１に対して装置状態情報をネットワーク３を介して通知する。
【００２６】
データ受信部２２は、検査データマネージャ１から送信される検査データおよび検査履歴を受信し、検査データデータベース２６ａおよび検査履歴データベース２６ｂに保存する。
【００２７】
検査開始通知部２３は、予定されていた検査が開始されたことを検査データマネージャ１に通知する。
【００２８】
データ送信部２４は、超音波診断装置２を利用した検査が終了すると、終了した検査の患者に関するデータを検査データマネージャ１に送信する。ここで送信するデータは、検査データマネージャ１から受信した過去検査データと今回の検査で新たに取得した検査データを含む。
【００２９】
データ削除部２５は、検査データマネージャ１よりデータ削除要求を受信したことに応じて、要求されたデータを検査データデータベース２６ａおよび検査履歴データベース２６ｂから削除する。また、超音波診断装置２での検査が終了すると、終了した検査の患者に関するデータ(検査データマネージャ１より受信した過去検査データ、過去履歴データおよび今回の検査で新たに取得したデータ)を検査データデータベース２６ａおよび検査履歴データベース２６ｂから削除する。ただし、データの削除は、そのデータをデータ送信部２４が検査データマネージャ１に送信完了してから行う。
【００３０】
次に以上のように構成された検査システムの動作について説明する。  
［予約検査情報の取得］
図５は検査データマネージャ１が予約検査情報を取得する動作状態の概略図である。
【００３１】
検査データマネージャ１において予約検査情報取得部１１は、新たな検査の予約が発生した時、一定時間周期毎、あるいはユーザから要求された時などの所定のタイミングでＨＩＳ／ＲＩＳサーバ４から予約検査情報を取得し、予約検査情報データベース１８ａに保存する。
【００３２】
［装置状態の監視］
図６は検査データマネージャ１が超音波診断装置２の装置状態を監視する動作状態の概略図である。
【００３３】
検査データマネージャ１においてシステム状態監視部１３は、各超音波診断装置２から装置状態情報を収集して、装置情報データベース１８ｂに記憶しておく。そしてシステム状態監視部１３は、各超音波診断装置２の装置状態を判定する。ここで判定する装置状態は例えば、超音波診断装置２が稼動しているか否か(故障の有無を含む)、超音波診断装置２が検査中か否か、超音波診断装置２に接続されているプローブの種類、超音波診断装置２に装備されているデバイスの種類、インストールされているアプリケーションの種類およびバージョンなどである。
【００３４】
［配信スケジュール作成およびデータ配信］
図７は検査データマネージャ１から超音波診断装置２へとデータ配信する動作状態の概略図である。
【００３５】
検査データマネージャ１においてスケジュール作成部１４は、予約検査情報および装置情報に基づいて配信スケジュールを作成し、配信スケジュールデータベース１８ｄに格納する。検査スケジュールには、各超音波診断装置２が予約されている検査で利用され得るか否かを表す。例えば、「検査１」なる検査に４つの超音波診断装置２のいずれもが適応し、かつ４つの超音波診断装置２のいずれもが稼働しているならば、図４に示すように４つの超音波診断装置２の装置名「装置１」乃至「装置４」のそれぞれに関連付けて「検査１」を記述する。「検査２」なる検査に「装置１」および「装置２」なる装置名の超音波診断装置２のみが適応するならば、図４に示すように「装置１」および「装置２」に関連付けて「検査２」を記述する。同様に図４の例では、「検査３」なる検査は「装置３」および「装置４」なる装置名の超音波診断装置２のみが適応するために、「装置３」および「装置４」に関連付けて「検査３」を記述している。また例えば「検査６」なる検査は「装置１」なる装置名の超音波診断装置２のみが適応するために、「検査６」は「装置１」のみに関連付けて記述している。
【００３６】
検査データマネージャ１においてデータ配信部１５は、予定されている検査の対象となる患者に関する過去検査データおよび過去検査履歴データを、当該検査が開始されるのに先立って配信する。データ配信部１５は、配信スケジュールにて配信装置として表されている超音波診断装置２、すなわち配信スケジュールにて当該検査の検査名が関連付けられている超音波診断装置２を、ここでの配信先とする。図７では、超音波診断装置2-1，2-2，2-3を配信先とする例を示している。
【００３７】
超音波診断装置２では、このように過去検査データおよび過去検査履歴データが検査データマネージャ１から送られてきたならば、これをデータ受信部２２が受信する。そしてデータ受信部２２は、受信した過去検査データおよび過去検査履歴データを検査データデータベース２６ａおよび検査履歴データベース２６ｂに格納する。
【００３８】
かくして、ある検査で利用され得る過去データ（過去検査データおよび過去検査履歴データ）Ｄ１が、当該検査が開始されるのに先立って、当該検査に利用され得る複数の超音波診断装置２のそれぞれで保持される。
【００３９】
このデータ配信は、１つの検査が開始される毎に次の検査に関して行うようにしても良いし、常に何件かの検査に関するデータ配信が済んでいる状態を維持するように行うようにしても良い。前者によれば、超音波診断装置２は１件の検査に関する過去データＤ１のみを保持していれば良いから、それによる記憶リソースの使用量を低減できるが、複数の検査が並列的に開始されるような使用形態や、１つの超音波診断装置２で別々の検査を連続的に行うような使用形態には向かない。後者によれば、記憶リソースを多く使用するが、多量の検査を速やかに実施することが可能となる。
［検査開始の通知］
図８は超音波診断装置２から検査データマネージャ１へ検査開始を通知する動作状態の概略図である。
【００４０】
いずれかの超音波診断装置２を利用した検査が開始されると、その超音波診断装置２の検査開始通知部２３がその旨を検査データマネージャ１へ通知する。図８の例では、超音波診断装置2-1が利用されているので、超音波診断装置2-1から検査データマネージャ１へと検査開始を通知している。  
検査データマネージャ１は、この通知をシステム状態監視部１３により受信する。
【００４１】
［不要データの削除］
図９は検査に利用されなかった超音波診断装置２が保持している不要となった過去データＤ１を削除する動作状態の概略図である。
【００４２】
検査データマネージャ１においては、検査開始の通知を受信したシステム状態監視部１３の指示の下にデータ削除要求部１６が、開始された検査に関する配信装置のうちで検査開始の通知元以外の超音波診断装置２に対してデータ削除を要求する。ここでは、超音波診断装置2-1，2-2，2-3が配信装置であって、超音波診断装置2-1から検査開始が通知されているから、図９の例では超音波診断装置2-2，2-3へデータ削除を要求している。
【００４３】
データ削除が要求された超音波診断装置２では、データ削除部２５が検査データデータベース２６ａおよび検査履歴データベース２６ｂから過去データＤ１を削除する。
【００４４】
［新たな検査データの転送］
図１０は超音波診断装置２で新たに取得した検査データを検査データマネージャ１へ転送する動作状態の概略図である。
【００４５】
検査に利用された超音波診断装置２は当該検査が終了したならば、当該検査で取得した検査データＤ２を過去データＤ１とともに検査データマネージャ１へ転送する。これは、データ送信部２４によって行われる。なお、過去データＤ１は、検査の過程において改変されている場合もある。過去データＤ１が改変されていない場合には、検査データＤ２のみを転送しても良い。
【００４６】
［新たな検査データの保存］
図１１は新たに取得された検査データを検査データマネージャ１で保存する動作状態の概略図である。
【００４７】
検査データマネージャ１では、超音波診断装置２から転送されたデータをデータ受信部１７が受信する。そしてデータ受信部１７は、転送された新たな検査データＤ２を検査データデータベース１８ｅに格納する。なお、過去データＤ１が超音波診断装置２から転送された場合にデータ受信部１７は、検査データデータベース１８ｅや検査履歴データベース１８ｆに記憶されている過去データＤ１に相当するデータを、転送された過去データＤ１で上書きしても良いし、あるいは転送された過去データＤ１を新たなデータとして検査データデータベース１８ｅや検査履歴データベース１８ｆに格納しても良い。
【００４８】
以上のように本実施形態によれば、複数の超音波診断装置２のいずれを利用して検査を行う場合であっても、この利用する超音波診断装置２には予め過去データが保持されているので、この過去データを利用した新たな検査を速やかに開始することが可能である。
【００４９】
そして、各超音波診断装置２では、他の超音波診断装置２で開始された検査に関する過去データを削除するので、超音波診断装置２の記憶リソースを有効使用することが可能である。特に本実施形態では、他の超音波診断装置２で開始されたことに応じて、不要な過去データを速やかに消去するため、検査に利用されなかった超音波診断装置２で過去データを記憶している期間を最小限に止めることが可能である。
【００５０】
この実施形態は、次のような種々の変形実施が可能である。  
検査データマネージャ１が備える機能を、超音波診断装置２の１つに備えるようにしても良い。  
検査データや検査履歴データは、別のデータサーバに記憶されていても良い。  
超音波診断装置２とは異なる医用診断装置を用いるシステムにも本発明の適用が可能である。  
検査に利用されなかった超音波診断装置２からの過去データの消去は、該当検査が終了したことに応じて行うようにしても良い。この場合、この過去データの消去を、超音波診断装置２から検査データマネージャ１へ新たな検査データの転送がなされたことに応じて行うようにすれば、検査開始通知を省略することができる。あるいは、検査開始または検査終了を、検査に利用された超音波診断装置２から他の超音波診断装置２に対して直接的に行い、この通知に応じて過去データの消去を行うようにしても良い。
【００５１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００５２】
【図１】本発明の一実施形態に係る検査システムの概略構成を示すブロック図。
【図２】図１中の検査データマネージャ１および超音波診断装置２の構成を示すブロック図。
【図３】予約検査情報の一例を示す図。
【図４】配信スケジュールにおける配信順序の記述例を示す図。
【図５】検査データマネージャ１が予約検査情報を取得する動作状態の概略図。
【図６】検査データマネージャ１が超音波診断装置２の装置状態を監視する動作状態の概略図。
【図７】検査データマネージャ１から超音波診断装置２へとデータ配信する動作状態の概略図。
【図８】超音波診断装置２から検査データマネージャ１へ検査開始を通知する動作状態の概略図。
【図９】検査に利用されなかった超音波診断装置２が保持している不要となった過去データＤ１を削除する動作状態の概略図。
【図１０】超音波診断装置２で新たに取得した検査データを検査データマネージャ１へ転送する動作状態の概略図。
【図１１】新たに取得された検査データを検査データマネージャ１で保存する動作状態の概略図。
【符号の説明】
【００５３】
１…検査データマネージャ、２（2-1〜2-4）…超音波診断装置、３…ネットワーク、４…ＨＩＳ／ＲＩＳサーバ、１１…予約検査情報取得部、１２…ユーザ情報取得部、１３…システム状態監視部、１４…スケジュール作成部、１５…データ配信部、１６…データ削除要求部、１７…データ受信部、２１…装置状態通知部、２２…データ受信部、２３…検査開始通知部、２４…データ送信部、２５…データ削除部。
【図１】
2006280446.tif 000003
【図２】
2006280446.tif 000004
【図３】
2006280446.tif 000005
【図４】
2006280446.tif 000006
【図５】
2006280446.tif 000007
【図６】
2006280446.tif 000008
【図７】
2006280446.tif 000009
【図８】
2006280446.tif 000010
【図９】
2006280446.tif 000011
【図１０】
2006280446.tif 000012
【図１１】
2006280446.tif 000013